(57)【特許請求の範囲】
【請求項１】
戸袋内に収納される開き位置及び戸袋から突出する閉じ位置の間をスライド移動可能な引戸と、該引戸の上縁に沿って設けられたスライドアシスト機構とを備えた引戸装置における前記スライドアシスト機構のスライドアシスト動作を始動させるためのトリガ装置であって、
鴨居の下面に取り付けられて前記引戸をスライド移動可能に支持するレールと、
前記レールの前記戸袋に収納される部分に一体的に取り付け可能とされ、前記戸袋厚さ方向の両端部にそれぞれ位置する側面支持部と、戸尻側方向の端部に位置する終端支持部とを有するプレート受け台座と、
前記戸袋の戸先側開口部から前記プレート受け台座までの間の距離よりも長く、かつ、前記プレート受け台座に対し、前記戸尻側端部が前記プレート受け台座の側面支持部及び終端支持部によって係止されて固定されるように構成されており、前記戸尻側端部の下面に下方に延びるトリガが突設されたトリガプレートとを備え、
前記スライドアシスト機構は、前記引戸の開動作時に、前記トリガに当たることによって、そのスライドアシスト動作が始動するように構成されている
ことを特徴とするトリガ装置。
【請求項２】
鴨居の下面に取り付けられたレールと、該レールに、戸袋内に収納される開き位置及び戸袋から突出する閉じ位置の間をスライド移動可能に吊り下げ支持された引戸と、該引戸の上縁に沿って設けられたスライドアシスト機構とを備えた引戸装置における前記スライドアシスト機構のスライドアシスト動作を始動させるためのトリガ装置であって、
前記レールの前記戸袋に収納される部分に一体的に取り付け可能とされ、前記戸袋厚さ方向の両端部にそれぞれ位置する側面支持部と、戸尻側方向の端部に位置する終端支持部とを有するプレート受け台座と、
前記戸袋の戸先側開口部から前記プレート受け台座までの間の距離よりも長く、かつ、前記プレート受け台座に対し、前記戸尻側端部が前記プレート受け台座の側面支持部及び終端支持部によって係止されて固定されるように構成されており、前記戸尻側方向の端部の下面に下方に延びるトリガが突設されたトリガプレートとを備え、
前記スライドアシスト機構は、前記引戸の開動作時に、前記トリガに当たることによって、そのスライドアシスト動作が始動するように構成されている
ことを特徴とするトリガ装置。
【請求項３】
請求項１または２記載のトリガ装置において、
前記プレート受け台座の両側面支持部は、互いに前記引戸のスライド方向の位置がずれている
ことを特徴とするトリガ装置。
【請求項４】
請求項３記載のトリガ装置において、
前記プレート受け台座において、前記戸袋厚さ方向の一端部側に位置する側面支持部は、少なくとも２つ設けられ、前記戸袋厚さ方向の他端部側に位置する側面支持部は、少なくとも１つ設けられており、かつ、前記引戸のスライド方向において、前記一端部側に位置する隣接する２つの側面支持部の間の位置に配設されている
ことを特徴とするトリガ装置。
【請求項５】
請求項１記載のトリガ装置において、
前記レールは、前記プレート受け台座の取付位置に形成されかつ該プレート受け台座の外形よりも若干大きな取付部を有し、
前記プレート受け台座は、前記取付部に嵌め込まれて、前記レールと一体的に取り付けされる
ことを特徴とするトリガ装置。
【請求項６】
請求項１から５のいずれか１項に記載のトリガ装置において、
前記トリガプレートには、前記プレート受け台座に係止された状態で前記戸袋の戸先側開口部よりも前記戸先側方向に、前記引戸のスライド方向に延びる長孔が貫通して形成されており、前記トリガプレートは、前記長孔を介して前記鴨居にねじ止めされる
ことを特徴とするトリガ装置。
【発明の詳細な説明】
【技術分野】
【０００１】
本発明は、引戸装置におけるスライドアシスト機構のスライドアシスト動作を始動させるためのトリが装置に関する。
【背景技術】
【０００２】
引戸を開閉させるために急激にスライド操作されると、引戸が戸当たり等に衝突し、大きな衝突音を発するという課題がある。これに対し、特許文献１では、スライド扉を往動方向にスライド移動させる場合にも、復動方向にスライド移動させる場合にも、ともにスライド扉の移動速度が緩やかになるように機能するスライドアシスト機構が開示されている。
【０００３】
一般的に、このようなスライドアシスト機構を設ける場合、そのスライドアシスト機構を始動させるためのトリガを設ける。例えば、特許文献２では、トリガは、ガイドレールの取付孔を介して戸枠の上側水平部の下面にねじ止め固定される（図１及び段落[０００８]参照）。また、特許文献３では、吊り戸のスライドアシスト装置に対して、吊り戸用レールの下面から下方に突出するストライカ（トリガ）が一体的に設けられている（図４及び段落[００１８]参照）。そして、これらのスライドアシスト機構は、引戸の開動作時又は閉動作時に、トリガに当たることによってスライドアシスト動作が始動するように構成されている。
【先行技術文献】
【特許文献】
【０００４】
【特許文献１】特開２０１３−２４５５０５号公報
【特許文献２】特開２０１２−１１７２２１号公報
【特許文献３】特開２０１３−２１７０７９号公報
【発明の概要】
【発明が解決しようとする課題】
【０００５】
ところで、引戸の開閉時に引戸と後述する戸尻側縦枠との間に手を挟むことの回避や美感を高めること等を目的として、戸袋付きの引き込み戸が採用される場合がある。このような戸袋付きの引き込み戸の場合、引戸は、戸袋内に収容される開き位置及び戸袋から突出する閉じ位置の間をスライド移動可能であり、閉じ位置から開き位置に移動するとき（開動作時）にスライドアシスト機構を起動させるためには、前記トリガを戸袋内に設ける必要がある。
【０００６】
例えば、特許文献２に開示されているようなトリガを戸袋内に設置する場合、戸先側及び戸尻側に対向する縦枠と、その縦枠の上端間に架け渡される鴨居とを設置し、戸枠の上側水平部の下面にガイドレール及びトリガを取付ねじによりねじ止めにより固定した後、戸袋用の壁材を同じく取付ねじやビス等により取り付け、その上からボードや壁紙を貼り付けする。同様に、例えば、特許文献３に開示されているようなトリガを戸袋内に設置する場合、両縦枠の上端間に鴨居を架け渡し、ストライカが一体的に取付けられた吊り戸用レールを鴨居の下面にねじ止め等により固定した後、戸袋用の壁材をビス等により取り付け、その上からボードや壁紙を貼り付ける。
【０００７】
しかしながら、例えば、引戸が急激に閉められた場合等において、例えば、規定以上のスピードで引戸がトリガにあたったとき、トリガの固定部分が緩んでしまったり、トリガ自体が曲がってしまったりすることが生じる。また、急激に閉められない場合においても、長年の使用により、トリガの固定部分が緩んでしまうようなことが生じる。
【０００８】
このようにトリガが曲がったり、その固定部分が緩んでしまったりした場合、特許文献２や特許文献３に開示されたようなトリガでは、その交換や保守のために施工業者等の専門家による大掛かりな工事を要する。具体的には、ボードや壁紙を剥がして、戸袋用の壁材を取り外した後に、トリガやトリガが一体的に取付けられたレールを交換する必要があり、期間と手間がかかり面倒となる。
【０００９】
上記の点に鑑み、本発明は、戸袋形成後でも容易かつ速やかな設置や交換が可能なトリガ装置を提供することを目的とする。
【課題を解決するための手段】
【００１０】
本発明に係る引戸装置のスライドアシスト機構のスライドアシスト動作を始動させるためのトリガ装置は、レールの戸袋に収納される部分に一体的に取り付け可能とするプレート受け台座と、戸袋の戸先側開口部からプレート受け台座までの間の距離よりも長く、かつ、戸尻側端部がプレート受け台座に係止されて固定されるように構成され、戸尻側端部の下面に下方に延びるトリガが突設されたトリガプレートとを備えるものとした。
【００１１】
すなわち、本発明の第１態様では、戸袋内に収納される開き位置及び戸袋から突出する閉じ位置の間をスライド移動可能な引戸と、該引戸の上縁に沿って設けられたスライドアシスト機構とを備えた引戸装置における前記スライドアシスト機構のスライドアシスト動作を始動させるためのトリガ装置として、鴨居の下面に取り付けられて前記引戸をスライド移動可能に支持するレールと、前記レールの前記戸袋に収納される部分に一体的に取り付け可能とされ、前記戸袋厚さ方向の両端部にそれぞれ位置する側面支持部と、戸尻側方向の端部に位置する終端支持部とを有するプレート受け台座と、前記戸袋の戸先側開口部から前記プレート受け台座までの間の距離よりも長く、かつ、前記プレート受け台座に対し、前記戸尻側端部が前記プレート受け台座の側面支持部及び終端支持部によって係止されて固定されるように構成されており、前記戸尻側端部の下面に下方に延びるトリガが突設されたトリガプレートとを備えている。そして、前記スライドアシスト機構は、前記引戸の開動作時に、前記トリガに当たることによって、そのスライドアシスト動作が始動するように構成されている。
【００１２】
本発明の第２態様では、鴨居の下面に取り付けられたレールと、該レールに、戸袋内に収納される開き位置及び戸袋から突出する閉じ位置の間をスライド移動可能に吊り下げ支持された引戸と、該引戸の上縁に沿って設けられたスライドアシスト機構とを備えた引戸装置における前記スライドアシスト機構のスライドアシスト動作を始動させるためのトリガ装置であって、前記レールの前記戸袋に収納される部分に一体的に取り付け可能とされ、前記戸袋厚さ方向の両端部にそれぞれ位置する側面支持部と、前記戸尻側方向の端部に位置する終端支持部とを有するプレート受け台座と、前記戸袋の戸先側開口部から前記プレート受け台座までの間の距離よりも長く、かつ、前記プレート受け台座に対し、前記戸尻側端部が前記プレート受け台座の側面支持部及び終端支持部によって係止されて固定されるように構成されており、前記戸尻側方向の端部の下面に下方に延びるトリガが突設されたトリガプレートとを備え、前記スライドアシスト機構は、前記引戸の開動作時に、前記トリガに当たることによって、そのスライドアシスト動作が始動するように構成されている。
【００１３】
第１または第２態様によると、トリガプレートが、レールに取り付け可能なプレート受け台座と係止可能に構成されていて、かつ、戸袋の戸先側開口部からプレート受け台座までの間の距離よりも長いため、戸先側開口部よりも戸先側、すなわち、戸袋の外側からプレート受け台座に対してトリガプレートを取り付け／取り外しができるようになっている。これにより、戸袋が形成された後においても、戸袋を形成するための壁材や控え壁を取り外す等の大掛かりな工事をすることなく、容易かつ速やかにトリガプレートの設置や交換をすることができる。
【００１４】
本発明の第３態様では、第１または２態様記載のトリガ装置において、前記プレート受け台座の両側面支持部は、互いに前記引戸のスライド方向の位置がずれていることを特徴とする。
【００１５】
本態様によると、両側面支持部の引戸のスライド方向の位置が互いにずれているため、トリガプレートをプレート受け台座に係止する際に、両側面支持部間にトリガプレートの戸尻側端部が誘導されやすくなる。
【００１６】
本発明の第４態様では、第３態様記載のトリガ装置において、前記プレート受け台座において、前記戸袋厚さ方向の一端部側に位置する側面支持部は、少なくとも２つ設けられ、前記戸袋厚さ方向の他端部側に位置する側面支持部は、少なくとも１つ設けられており、かつ、前記引戸のスライド方向において、前記一端部側に位置する隣接する２つの側面支持部の間の位置に配設されていることを特徴とする。
【００１７】
本態様によると、戸袋厚さ方向の両端部側で側面支持部が少なくとも３つ設けられているため、より効果的にトリガプレートの戸尻側端部を係止することが可能となり、かつ、より効果的に上下方向及び水平方向の係止強度を高めることができる。
【００１８】
本発明の第５態様では、第１態様記載のトリガ装置において、前記レールは、前記プレート受け台座の取付位置に形成されかつ該プレート受け台座の外形よりも若干大きな取付部を有し、前記プレート受け台座は、前記取付部に嵌め込まれて、前記レールと一体的に取り付けされることを特徴とする。
【００１９】
本態様によると、プレート受け台座がレールの取付部に嵌め込まれてレールと一体的に取り付けされるため、プレート受け台座の厚さの影響をより効果的に削減することができ、レールの断面形状を小さくすることができるため、レールを小型化することができる。
【００２０】
本発明の第６態様では、第１から第５態様のいずれか１態様に記載のトリガ装置において、前記トリガプレートには、前記プレート受け台座に係止された状態で前記戸袋の戸先側開口部よりも前記戸先側方向に、前記引戸のスライド方向に延びる長孔が貫通して形成されており、前記トリガプレートは、前記長孔を介して前記鴨居にねじ止めされることを特徴とする。
【００２１】
本態様によると、トリガプレートは、長孔を介して鴨居にねじ止めされるように構成されているため、例えば、トリガプレートの加工公差が生じた場合や、レールや鴨居に設けたトリガプレートを固定するためのねじ孔の位置にずれが生じた場合においても、より確実にかつ容易にトリガプレートを鴨居に固定することができる。
【発明の効果】
【００２２】
本発明によると、戸袋の外側からプレート受け台座に対してトリガプレートを取り付け／取り外しができるようになっているため、戸袋が形成された後においても、その戸袋を開くことなく容易かつ速やかにトリガプレートの設置や交換をすることができる。
【図面の簡単な説明】
【００２３】
【図１】実施形態に係る引戸装置の構成例を示す分解斜視図である。
【図２】レールの構成例を示す図であり、（ａ）は斜め上側から見た斜視図、（ｂ）は平面図、（ｃ）はレールの正面図を示す図２（ｂ）のＡ−Ａ線拡大断面図である。
【図３】プレート受け台座の構成例を示す図であり、（ａ）は斜め上側から見た斜視図、（ｂ）は底面図、（ｃ）は背面図である。
【図４】トリガプレートの構成例を示す図であり、斜め上側から見た斜視図である。
【図５】トリガプレートの構成例を示す図であり、（ａ）は底面図、（ｂ）は図５（ａ）のＢ−Ｂ線拡大断面図である。
【図６】（ａ）は、鴨居に対して、レール、プレート受け台座及びトリガプレートを取り付けた状態における図２（ｂ）相当図であり、（ｂ）は図６（ａ）のＣ−Ｃ線断面図である。
【図７】スライドアシスト機構の側面図である。
【図８】スライドアシスト機構を説明するための図であり、（ａ）は平面図であり、（ｂ）は図８（ａ）のＤ−Ｄ線拡大断面図である。
【図９】その他の実施形態に係る引戸装置において、（ａ）は、鴨居に対して、レール、プレート受け台座及びトリガプレートを取り付けた状態における図２（ｂ）相当図であり、（ｂ）は図９（ａ）のＥ−Ｅ線断面図である。
【発明を実施するための形態】
【００２４】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００２５】
（構成）
図１において、引戸枠１は、左開きの引戸装置５に設けられるものであり、この引戸枠１は、左右両側に互いに間隔を空けて立設された戸先側及び戸尻側の縦枠１１，１１と、その縦枠１１，１１の上端間を架け渡されて連結固定された左右水平方向に延びる鴨居１２と、両縦枠１１，１１間の中央部分において戸袋厚さ方向に互いに間隔を空けて平行に立設され、上端が鴨居１２に連結固定された中方立１３，１３とを備えている。前側の中方立１３、鴨居１２の前側及び右側の戸尻側縦枠１１の前面には壁材１４が、また後側の中方立１３、鴨居１２の後側及び右側の戸尻側縦枠１１の後面には壁材１５がそれぞれビス等（図示しない）により固定される。これにより、壁材１４，１５間に戸袋１６が形成され、中方立１３，１３間には、戸袋１６の戸先側開口部１６ａが形成される。本開示において、戸袋厚さ方向とは壁材１４，１５が対向する戸袋の厚さ方向を指し、前とは壁材１５から壁材１４に向かう方向、後とは壁材１４から壁材１５に向かう方向を指すものとする。
【００２６】
トリガ装置２は、鴨居１２の下面に形成されたレール溝１２ａに取り付けられて後述する引戸装置５の引戸５１を左右方向にスライド移動可能に支持するレールとしての上吊レール２１と、上吊レール２１と一体的に取り付け可能に構成されたプレート受け台座３１と、プレート受け台座３１に対して係止固定可能に構成されたトリガプレート４１とを備えている。本開示において、戸先側とは引戸５１の戸先側（左開きの引戸の場合、左側）を指し、戸尻側とは引戸５１の戸尻側（左開きの引戸の場合、右側）を指すものとする。
【００２７】
図２に示すように、上吊レール２１は、押し出し成形等によって外形が断面視で略矩形状に成形された例えばアルミニウム金属製であり、対向する一対の側壁２１ａ，２１ａと、側壁２１ａ，２１ａの上端部間を一体的に連結する上壁２１ｂと、両側壁２１ａ，２１ａの下端部からそれぞれ水平方向内側に向かって延びる下壁２１ｃ，２１ｃとからなり、上吊レール２１の両下壁２１ｃ，２１ｃ間には、長手方向全体にわたって延びる切欠２１ｄが形成されている。また、上吊レール２１の上壁２１ｂには、長手方向全体にわたって延び、トリガプレート４１の取り付け時にトリガプレート４１をプレート受け台座３１まで誘導可能にするガイド溝２１ｅが形成されている。また、この上吊レール２１の上壁２１ｂには、上吊レール２１を鴨居１２の下面に固定するためのねじ孔２１ｇ，２１ｇ，…が所定のピッチで形成されるとともに、中方立１３，１３よりも戸先側において、後述するトリガプレート４１の戸先側端部を鴨居１２に固定するためのねじ孔２１ｈ，２１ｈが形成されている。
【００２８】
上吊レール２１の戸先側端部は、切断されて分離されており、鴨居１２に対してその切断された切断部２２のみが取り付け／取り外し可能に構成されている。これにより、鴨居１２に上吊レール２１を取り付けた後でも、切断部２２のみを取り外すことによって、そこから後述するスライドアシスト機構６１を上吊レール２１に着脱することができるようにしている。また、上吊レール２１の上壁２１ｂには、切断部２２より戸尻側の位置において、長手方向に２つ並べてねじ孔２１ｉ，２１ｉが形成されており、引戸５１の閉動作時にスライドアシスト機構６１のスライドアシスト動作を始動させる閉動作トリガ２３が上吊レール２１の下面から、このねじ孔２１ｉ，２１ｉを介して鴨居１２に固定されている。
【００２９】
さらに、上吊レール２１の上壁２１ｂには、プレート受け台座３１の取付位置（戸先側端部から一定の位置）に、上下方向に貫通する取付部としての矩形状の貫通孔２１ｆが形成されている。なお、取付部は、貫通孔に限定されない、例えば、上吊レール２１にプレート受け台座３１の外形よりも若干大きい溝や凹部を形成し、プレート受け台座３１がその溝や凹部に嵌め込まれて上吊レール２１と一体的に鴨居１２に取り付け可能となるように構成されていてもよい。
【００３０】
図３に示すように、プレート受け台座３１は、例えば鋼材で形成された矩形状のプレートであり、上吊レール２１の貫通孔２１ｆの外形よりも若干小さい外形を有する。また、プレート受け台座３１の幅方向の中央部分には、ねじ孔３１ａ，３１ａが長手方向に並べられて形成されている。これにより、プレート受け台座３１は、貫通孔２１ｆに嵌め込まれて、上吊レール２１と一体的に鴨居１２に取り付け可能になる。このように、プレート受け台座３１が上吊レール２１の貫通孔２１ｆに嵌め込まれて上吊レール２１と一体的に取り付け可能に構成されているため、プレート受け台座３１の厚さの影響をより効果的に低減することができる。これにより、貫通孔２１ｆを設けない場合と比較して上吊レール２１の高さを低く設定することが可能となり、上吊レール２１を小型化することができる。なお、プレート受け台座３１の機能を上吊レール２１に一体化してもよいが、プレート受け台座３１を係止するための構成の分だけ上吊レール２１の厚み（高さ方向のサイズ）が増し、小型化が困難である。すなわち、プレート受け台座３１と上吊レール２１とを別部材に分けて構成することにより、上吊レール２１を小型化することができる。この小型化により、上吊レール２１を、戸袋付きの引き込み戸だけではなく、戸袋を有しないタイプの片引き戸に対しても兼用することができる。また、プレート受け台座３１と上吊レール２１とを別部材に分けて構成することにより、プレート受け台座３１と上吊レール２１とを別材料にすることができる。例えば、本実施形態のように上吊レール２１には、加工容易性の高い材料（例えばアルミニウム金属）を選び、プレート受け台座３１には固い材料（例えば鋼材）を選ぶことにより、係止強度を確保しつつ、上吊レール２１やプレート受け台座３１を小型化することができる。
【００３１】
また、プレート受け台座３１の幅方向（図３（ｂ）及び（ｃ）の左右方向）の両端部には、それぞれ突片を下方次いで内方に折り曲げて形成されたＬ字状の一対の側面支持部３２，３３が設けられている一方、長手方向（図３（ｂ）の上下方向）の一端部には、突片を下方に折り曲げて形成された終端支持部３４が設けられている。一対の側面支持部３２，３３は、互いに長手方向の位置がずれており、トリガプレート４１を取り付けする際の誘導を容易にしている。終端支持部３４の幅方向の中央部分には、長手方向に貫通する矩形状のプレート挿入孔３４ａが形成されている。
【００３２】
図４及び図５に示すように、トリガプレート４１は、例えば鋼材で形成されたプレート４２と、トリガ４３とを備える。
【００３３】
プレート４２は、戸袋１６の戸先側開口部１６ａから貫通孔２１ｆの戸先側端部までの距離よりも長く、かつ、上吊レール２１のガイド溝２１ｅの幅よりも若干狭い幅のベース部４２ａと、このベース部４２ａの一端部（先端部）から連続して長手方向（図５（ａ）の左右方向）に一体的に延び、ベース部４２ａの幅より狭くかつ前記一対の側面支持部３２，３３間の距離よりも若干狭い幅の中間部４２ｂと、この中間部４２ｂの端部から連続して長手方向に一体的に延び、中間部４２ｂの幅より狭くかつ断面形状がプレート挿入孔３４ａの大きさよりも若干小さい先端部４２ｃとによって構成されている。先端部４２ｃは、その上面がベース部４２ａおよび中間部４２ｂと面一になるように構成され、一方で、その下面は、ベース部４２ａおよび中間部４２ｂよりも上方に位置するように構成されている。このような先端部４２ｃの構成とすることにより、終端支持部３４のプレート挿入孔３４ａの厚さの影響を低減することができる。
【００３４】
上述のように、プレート４２のベース部４２ａが上吊レール２１のガイド溝２１ｅの幅よりも若干狭い幅となるような構成とすることにより、トリガプレート４１をプレート受け台座３１に係止する際にプレート４２が誘導されやすくなり、取り付け作業が容易になる。さらに、プレート４２は、ベース部４２ａから中間部４２ｂ、先端部４２ｃと戸尻側に向かって、その幅が段になり細くなっている。これにより、プレート４２をプレート受け台座３１の側面支持部３２，３３間及び終端支持部３４に挿入するためのガイド（呼びこみ）になり挿入しやすいというメリットがある。さらに、一対の側面支持部３２，３３の長手方向の位置が互いにずれているため、トリガプレート４１をプレート受け台座３１に係止する際にプレート４２が長さ方向両端部間で多少水平方向に沿ってずれるように傾いていた場合であっても、プレート４２が両側面支持部３２，３３間に誘導されやすくなる。
【００３５】
プレート４２のベース部４２ａの他端部には、長手方向に延びる長孔４２ｄ，４２ｄが２つ貫通して形成されており、プレート４２は、これらの長孔４２ｄ，４２ｄ及び上吊レール２１の上壁２１ｂに形成されたねじ孔２１ｈ，２１ｈを介して、ビス等（図示しない）により上吊レール２１及び鴨居１２に固定される。このように、プレート４２の鴨居１２への固定のためのねじ挿通孔を長孔４２ｄにすることによって、プレート４２の加工公差が生じた場合や、上吊レール２１へのねじ孔２１ｈ，２１ｈの孔あけ位置にずれが生じた場合においても、それを吸収して確実にかつ容易にプレート４２を上吊レール２１及び鴨居１２に固定することができる。
【００３６】
なお、図４（ｂ）に示すように、プレート４２のベース部４２ａの他端部に長孔４２ｄ，４２ｄに代えて、丸孔４２ｆ，４２ｆを形成してもよい。また、ビス等の長さを調整してプレート４２が長孔４２ｄ，４２ｄを介して上吊レール２１にのみ固定されるようにしてもよい。ただし、プレート４２の固定強度を確保する観点から、プレート４２を上吊レール２１及び鴨居１２にビス等により固定するように構成するのが好ましい。
【００３７】
プレート４２のベース部４２ａ及び中間部４２ｂの外周には、厚さ方向（図５（ｂ）の上下方向）に向かって折り返された折返し部４２ｅが形成されている。これにより、プレート４２の厚さ方向の強度が増すメリットがある。
【００３８】
プレート４２の中間部４２ｂの幅方向（図５（ａ）の上下方向）の中央部分であり、かつ長手方向の中間部分には、中間部４２ｂの下面（図５（ａ）の前面）に下方に延びるトリガ４３が一体的に突設されている。トリガ４３は、円柱状に鋼材で形成された芯棒４３ａと、芯棒４３ａの周方向の外側を覆うように形成された樹脂製のトリガカバー４３ｂとによって構成されている。このように、トリガカバー４３ｂによって芯棒４３ａの周方向外側を覆うことによって、引戸５１の閉動作時にスライドアシスト機構６１がトリガ４３に当たることによって生じる衝撃音の発生を減少させることができる。
【００３９】
トリガ４３は、例えば、その上端部（図５（ｂ）の上端部）がプレート４２に設けられた芯棒４３ａよりも若干大きい孔に挿入されて、かしめられることによってプレート４２に取り付け固定される。なお、かしめる以外の方法、例えば溶接等によってトリガ４３をプレート４２に取り付け固定してもよい。
【００４０】
図１に戻り、上吊レール２１に対して引戸５１が左右方向にスライド移動可能に支持され、上吊レール２１内にはスライドアシスト機構６１が備えられている。具体的には、上吊レール２１には、左右両側にそれぞれ吊戸車５２，５３がスライド可能に係合支持され、両吊戸車５２，５３はそれぞれ引戸５１の戸先側上端部及び戸尻側上端部に取り付けられて固定されている。これにより、引戸５１は、鴨居１２に対して、上吊レール２１及び吊戸車５２，５３を介して左右方向にスライド移動するように吊り下げ支持されている。換言すると、引戸５１は、上吊レール２１によって、引戸５１が右側に移動して戸袋１６内に収納される開き位置と、引戸５１が左側に移動して戸袋１６から突出する閉じ位置との間をスライド移動可能に支持されている。なお、引戸５１の下縁の幅方向中央には、長手方向全体にわたって延びるガイド溝５１ａが形成されており、このガイド溝５１ａに中方立１３，１３間の床面に固定されたガイド５４が遊嵌している。これにより、引戸５１は、厚さ方向に振れることなく開き位置と閉じ位置の間をスライド移動可能となる。
【００４１】
図７及び図８に示すように、戸先側に設けられた吊戸車５２の戸尻側（図７の右側）には、スライドアシスト機構６１が引戸５１の上縁に沿うように一体的に設けられている。スライドアシスト機構６１の右端部（戸尻側端部）には、上吊レール２１の上壁２１ｂと下壁２１ｃ，２１ｃとの間に係合するように車輪６７が設けられている。これにより、スライドアシスト機構６１は、引戸５１のスライド動作にあわせて、開き位置と閉じ位置との間をスライド動作する。
【００４２】
スライドアシスト機構６１は、上側に前記トリガ４３を相対移動可能に案内するピン溝６４ａを有する本体ケース６４と、戸尻側に設けられた開側クランプユニット６２と、戸先側に設けられた閉側クランプユニット６３と、これら開側クランプユニット６２及び閉側クランプユニット６３を弾発力で移動させるためのコイルスプリング６５と、開側クランプユニット６２又は閉側クランプユニット６３が移動する際にその移動速度が緩やかになるように減衰制御するダンパー機構６６とを備えている。開側クランプユニット６２と閉側クランプユニット６３とは、左右対称形状であって、実質的に等しい構成である。
【００４３】
開側クランプユニット６２及び閉側クランプユニット６３は、それぞれ、ベース７１と、ベース７１に対して支点７２を中心に平面視で互いに接離するように揺動可能に支持された一対のクランプ爪７３と、クランプ爪７３間の根元に配置された作動体７４と、作動体７４に組込まれた押しボタン７５及びコイルばね７６とを有している。その他のスライドアシスト機構６１の具体的な構成は、例えば、特許文献１に開示されており、その詳細な説明を省略する。
【００４４】
そして、引戸５１が通常状態（開き位置にも閉じ位置にもない状態）から戸尻側に向かってスライド移動するときの開動作に係るスライドアシスト機構６１のスライドアシスト動作について説明すると、通常状態では、開側クランプユニット６２は開側ホームポジション６２ａ（図８の破線参照）に位置している。また、閉側クランプユニット６３は閉側ホームポジション６３ａ（図８参照）に位置している。そして、それぞれの作動体７４及び押しボタン７５はコイルばね７６の弾発力でクランプ爪７３の先端方向へ付勢されている。よって、一対のクランプ爪７３は、作動体７４によって常時互いに離反する方向に開かれ、本体ケース６４の内壁に係合するアンクランプ状態に維持されている。
【００４５】
このスライドアシスト機構６１を有する引戸５１を開き位置に向かってスライド移動させると、トリガ４３は、本体ケース６４のピン溝６４ａを通って本体ケース６４内に進入し、開側クランプユニット６２のクランプ爪７３に達する。そして、トリガ４３により、クランプ爪７３の根元にある押しボタン７５が押され、作動体７４の作用で一対のクランプ爪７３が互いに近接方向に変位して、クランプ状態になる。これにより、一対のクランプ爪７３と本体ケース６４の内壁との係合が解除され、コイルスプリング６５の付勢力によって、一対のクランプ爪７３は開側ホームポジション６２ａから本体ケース６４の長さ方向中央に向かって引っ張られ、ダンパー機構６６の作用を受けてゆっくり移動する。このクランプ爪７３の移動に伴って、引戸５１は、開き位置までゆっくり移動する。
【００４６】
逆に、スライドアシスト機構６１を有する引戸５１を開き位置から閉じ位置に向かってスライドさせる場合、開き位置では、コイルスプリング６５が縮んでいて、開側クランプユニット６２の一対のクランプ爪７３はトリガ４３をクランプしている。引戸５１が閉じられると、コイルスプリング６５が伸び、開側クランプユニット６２は、トリガ４３をクランプしたまま開側ホームポジション６２ａへ移動する。開側ホームポジション６２ａでは、一対のクランプ爪７３がアンクランプ状態になって開放されるため、一対のクランプ爪７３からトリガ４３が離れ、引戸５１は、スライドアシスト機構６１から戸先側方向へ抜け出て閉じ位置に向かってスライド移動する。
【００４７】
（トリガの設置作業）
次に、本実施形態において、トリガ４３（トリガプレート４１）の設置作業を、引戸枠１の設置、引戸５１の設置及び戸袋１６の形成と併せて詳細に説明する。本実施形態では、図１に示すように左開きの引戸５１を設置するものとして説明する。
【００４８】
まず、引戸枠１が建物に設けられた開口部に設置される。引戸枠１の右半分の後側には壁材１５があり、引戸枠１の左半分は前後方向に開口しており、出入口が形成されている。そして、鴨居１２の左右方向の中央部分において、前後方向の両側に平行になるように中方立１３，１３が立設され、中方立１３，１３の上端が鴨居１２に連結固定される。
【００４９】
その後、鴨居１２の下面に形成されたレール溝１２ａに上吊レール２１（切断部２２を除く）を嵌め込み、ねじ孔２１ｇ，２１ｇ，…を介して下面から上吊レール２１を鴨居１２にねじ止め固定する。その後、プレート受け台座３１を上吊レール２１の貫通孔２１ｆに嵌め込み、ねじ孔２１ｉ，２１ｉを介して下面からプレート受け台座３１を鴨居１２にねじ止め固定する。なお、先に、プレート受け台座３１を上吊レール２１の貫通孔２１ｆに嵌め込み、その後、上吊レール２１及びプレート受け台座３１を一緒にねじ止め固定するようにしてもよい。
【００５０】
次に、トリガプレート４１を上吊レール２１のガイド溝２１ｅに沿わせるように、戸袋１６の戸先側開口部１６ａ側からプレート受け台座３１に向けてスライドさせ、トリガプレート４１の中間部４２ｂの側面及び先端部４２ｃをプレート受け台座３１の側面支持部３２，３３及び終端支持部３４に係止させ、プレート４２の長孔４２ｄ，４２ｄ及び上吊レール２１のねじ孔２１ｈ，２１ｈを介して、戸袋１６の戸先側開口部１６ａよりも戸先側の位置において、下面からプレート４２を上吊レール２１及び鴨居１２にねじ止め固定する（図１参照）。図６は、鴨居１２に対して、上吊レール２１、プレート受け台座３１及びトリガプレート４１を取り付けた状態を示した図である。図６（ａ）に示すように、上吊レール２１の上端から上吊レール２１の上壁２１ｂの下端までの距離Ｘ２よりも、上吊レール２１の上端からプレート受け台座３１の下端及びプレート４２の下端までの距離Ｘ１の方が小さくなるように構成されている。これにより、スライドアシスト機構６１がスライド動作する際に、スライドアシスト機構６１がプレート受け台座３１やプレート４２に接触するのをより効果的に回避することができる。また、図６（ｂ）に示すように、プレート受け台座３１の下面（下端）よりもプレート４２の下面（下端）の方が上方に位置する。これにより、スライドアシスト機構６１がスライド動作する際に、スライドアシスト機構６１がプレート４２の下面に接触するのをより効果的に回避することができる。なお、プレート受け台座３１の下面（下端）とプレート４２の下面（下端）とが面一になっていても同様の効果が得られる。
【００５１】
その後、ガイド５４を中方立１３，１３間の床面に固定するとともに、吊戸車５２，５３を上吊レール２１に取り付け、引戸５１の吊り込みを実施し、吊り込み後上吊レール２１の切断部２２を取り付けて固定する。最後に、壁材１４を前側の中方立１３、鴨居１２の前側及び右側の縦枠１１の前面にビス等（図示しない）を用いて取り付けて固定する。なお、上記の例では、最後に、壁材１４を取り付けて固定するものとしたが、これに限定されない。例えば、上吊レール２１及びプレート受け台座３１を鴨居１２にねじ止め固定した後に、壁材１４を取り付けて固定し、その後、戸袋１６の戸先側開口部１６ａの戸先側からプレート受け台座３１に向けてトリガプレート４１をスライドさせて係止させ、戸先側開口部１６ａよりも戸先側の位置において、プレート４２を上吊レール２１及び鴨居１２に下面からねじ止め固定してもよい（図１参照）。
【００５２】
（トリガの交換作業）
次に、トリガ４３（トリガプレート４１）の交換作業について、詳細に説明する。
【００５３】
まず、上吊レール２１の切断部２２を取り外し、上吊レール２１から引戸５１を取り外す。
【００５４】
次に、プレート４２を上吊レール２１及び鴨居１２にねじ止め固定するビス等（図示しない）のねじ止めを解除するとともに、戸袋１６の戸先側開口部１６ａからトリガプレート４１を戸先側に向かって引き出し、トリガプレート４１とプレート受け台座３１との係合を解除させて取り出す。
【００５５】
その後、戸袋１６の戸先側開口部１６ａの戸先側から交換用の新しいトリガプレート４１をプレート受け台座３１に向けてスライドさせて係止させ、戸先側開口部１６ａよりも戸先側の位置において、プレート４２を上吊レール２１及び鴨居１２に下面からねじ止め固定する。最後に、吊戸車５２，５３を上吊レール２１に取り付け、引戸５１の吊り込みを実施し、吊り込み後上吊レール２１の切断部２２を取り付けて固定する。
【００５６】
以上のように、本実施形態によると、戸袋１６が形成された後に、戸袋１６内に設置されたトリガ４３（トリガプレート４１）を設置や交換する必要が生じた場合においても、戸袋１６を形成している壁材１４，１５を取り外すことなく、容易にトリガプレート４１の設置や交換を実施することができる。すなわち、大掛かりな工事等を必要しない。これにより、例えば、専門の業者に依頼しなくても、住居の所有者等が自身でトリガ４３（トリガプレート４１）を交換することも可能となる。
【００５７】
＜その他の実施形態＞
以上、本発明の好ましい実施形態を説明してきたが、種々の改変が可能である。
【００５８】
例えば、実施形態において、トリガ４３は、一対のクランプ爪７３を有し、このクランプ爪７３が互いに近接方向に変位して、クランプ状態を形成するようなスライドアシスト機構６１に適用されるものとしたが、これに限定されない。例えば、特許文献２に開示されたスライドアシスト機構のように、シリンダの水平軸回りに回動可能に取り付けられたスライド部材を有するスライドアシスト機構のためのトリガを本実施形態に係るトリガプレートに取り付けても、同様の効果が得られる。
【００５９】
また、実施形態において、スライドアシスト機構６１は、上吊レール２１内に備えられているものとしたが、これに限定されない。例えば、引戸の上縁に長手方向に延びる溝を形成し、その溝にスライドアシスト機構が嵌め込まれるような引戸装置に対しても、本実施形態に係るトリガ装置を適用することができる。
【００６０】
また、実施形態において、プレート受け台座３１の取付位置に対して貫通孔２１ｆが設けられるものとしたがこれに限定されない。例えば、図９に示すように、貫通孔２１ｆが設けられていない上吊レール２１に対して、プレート受け台座３１が一体的に取り付け可能となるような構成にしてもよい。具体的には、貫通孔２１ｆが形成されておらず、上吊レール２１の側壁２１ａ，２１ａの高さが高くなっている点、及び、上吊レール２１に、ガイド溝２１ｅよりも若干狭い幅であり、かつプレート受け台座３１の幅よりも若干大きい幅の溝２１ｊが長手方向全体にわたって形成されている点で前述の実施形態（例えば図６参照）と異なる。また、図９の上吊レール２１には、プレート受け台座３１のねじ孔３１ａ，３１ａと対応する位置に貫通孔２１ｋが形成されている。これにより、上吊レール２１に対して、プレート受け台座３１を溝２１ｊに嵌め込んで一体的に取り付け可能となる。図９の構成においても、トリガの設置作業およびトリガの交換作業は、前述の実施形態と同様である。すなわち、トリガプレート４１を上吊レール２１のガイド溝２１ｅに沿わせるように、戸袋１６の戸先側開口部１６ａ側からプレート受け台座３１に向けてスライドさせ、トリガプレート４１の中間部４２ｂの側面及び先端部４２ｃをプレート受け台座３１の側面支持部３２，３３及び終端支持部３４に係止させて、プレート４２を上吊レール２１及び鴨居１２にねじ止め固定することができる。
【産業上の利用可能性】
【００６１】
本発明は、戸袋が形成された後においても、戸袋の外側から容易かつ速やかにトリガプレートの設置や交換をすることができるようになっているため、戸袋内に収納される引戸とスライドアシスト機構とを有する引戸装置に対して極めて有用であり、産業上の利用可能性が高い。
【符号の説明】
【００６２】
１２  鴨居
１６  戸袋
１６ａ  戸先側開口部
２  トリガ装置
２１  上吊レール（レール）
２１ｆ  貫通孔（取付部）
３１  プレート受け台座
３２，３３  側面支持部
３４  終端支持部
４１  トリガプレート
４２ｄ  長孔
４３  トリガ
５  引戸装置
５１  引戸
６１  スライドアシスト機構
【要約】
【課題】戸袋が形成された後においても、容易かつ速やかにトリガプレートの設置や交換ができるようにする。
【解決手段】引戸装置５のスライドアシスト機構６１のスライドアシスト動作を始動させるためのトリガ装置２は、鴨居１２の下面に取り付けられて引戸５１をスライド可能に支持する上吊レール２１の戸袋１６に収納される部分に一体的に取り付け可能なプレート受け台座３１と、プレート受け台座３１と係止可能に構成されていて、かつ、戸袋１６の戸先側開口部１６ａからプレート受け台座３１までの間の距離よりも長いトリガプレート４１とを備えている。
【選択図】図１【図１】
0005638717.tif 000002
【図２】
0005638717.tif 000003
【図３】
0005638717.tif 000004
【図４】
0005638717.tif 000005
【図５】
0005638717.tif 000006
【図６】
0005638717.tif 000007
【図７】
0005638717.tif 000008
【図８】
0005638717.tif 000009
【図９】
0005638717.tif 000010